(57)【要約】【課題】特定の領域内で聞かれている楽曲の楽曲再生情報や、特定の領域内において音楽検索に有用な情報を配信することができる楽曲再生情報配信システム及び楽曲再生情報配信方法を提供する。【解決手段】カーナビゲーションシステム１が、再生した楽曲の楽曲情報に位置情報を加えて情報管理センタ３に送信し、情報管理センタ３が、カーナビゲーションシステム１から送られてきた楽曲情報及び位置情報を管理し、管理した楽曲情報及び位置情報に基づいて特定の領域において再生された楽曲の楽曲再生情報をカーナビゲーションシステム１に配信する。これにより、ユーザは自分のいる場所の近くで聞かれている楽曲の楽曲再生情報を知ることができる。また特定の領域において再生された楽曲の集計を行い、ランキングを生成してカーナビゲーションシステム１に配信する。これにより、ユーザは所望の楽曲を容易に検索することができる。【選択図】図６
2008201331.tif 000002
【特許請求の範囲】
【請求項１】
オーディオ再生を行う再生手段、自装置の位置を測位する測位手段並びに前記再生手段で再生した楽曲情報及び前記測位手段で測位した位置情報を送信する通信制御手段を有する車載装置と、前記車載装置から送られた前記楽曲情報及び前記位置情報を管理する管理手段及び前記管理手段で管理した前記楽曲情報及び前記位置情報に基づく楽曲再生情報を前記車載装置に配信する配信手段を有する情報管理センタと、を具備することを特徴とする楽曲再生情報配信システム。
【請求項２】
前記情報管理センタは、前記楽曲情報及び前記位置情報に基づいて特定の領域において再生された楽曲を集計する集計手段を有することを特徴とする請求項１記載の楽曲再生情報配信システム。
【請求項３】
前記車載装置は、配信された楽曲再生情報を表示する表示手段及び前記表示手段に触れることにより入力が可能な操作手段を有し、前記表示手段に表示された楽曲再生情報を前記操作手段で入力することにより、前記通信制御手段が前記楽曲再生情報に対応する楽曲をダウンロードすることを特徴とする請求項１又は請求項２記載の楽曲再生情報配信システム。
【請求項４】
車載装置において、オーディオ再生した楽曲情報及び自装置の位置情報を情報管理センタに送信する工程と、前記車載装置から送られた前記楽曲情報及び前記位置情報を管理する工程と、前記楽曲情報及び前記位置情報に基づく楽曲再生情報を前記車載装置に配信する工程と、を具備することを特徴とする楽曲再生情報配信方法。
【請求項５】
前記情報管理センタにおいて、前記楽曲情報及び前記位置情報に基づいて特定の領域において再生された楽曲を集計する工程を具備することを特徴とする請求項４記載の楽曲再生情報配信方法。
【請求項６】
前記車載装置の表示手段に表示された楽曲再生情報を触れることにより、前記楽曲再生情報に対応する楽曲をダウンロードする工程を具備することを特徴とする請求項４又は請求項５記載の楽曲再生情報配信方法。
【発明の詳細な説明】
【技術分野】
【０００１】
本発明は、移動通信網を介して接続可能な音楽配信センタとカーナビゲーションシステム等の車載装置との間で、楽曲再生情報の配信を行う楽曲再生情報配信システム及び楽曲再生情報配信方法に関する。
【背景技術】
【０００２】
従来、ネットワークを利用してカーナビゲーションシステム等の車載装置を搭載した車両に楽曲再生情報を配信する音楽配信システムが提案されている。特許文献１には、聞いている放送中の音楽情報を受信した受信時刻情報と、受信している受信周波数情報と、車両位置計測手段からの車両位置情報を含む入手要求を音楽配信センタに送信し、音楽配信センタが、車両から送られてきた受信周波数情報と車両位置情報より放送局を推定して、該放送局が有する音楽情報の放送時刻情報を入手し、車両から送られてきた受信周波数情報に基づき、対応する視聴用音楽データを車両に配信することが開示されている。
【特許文献１】特開２００１−１４７１２３号公報
【発明の開示】
【発明が解決しようとする課題】
【０００３】
ところで、上述した従来の音楽配信システムにおいては、聞いている放送中の音楽情報の曲名が分からなくてもそれを容易に取得することはできるが、それ以外の情報、例えば特定の領域内において聞かれている楽曲の楽曲再生情報（曲名、歌手名）や、特定の領域内において音楽検索に有用な情報を配信することはできない。
【０００４】
本発明はかかる点に鑑みてなされたものであり、特定の領域内で聞かれている楽曲の楽曲再生情報や、特定の領域内において音楽検索に有用な情報を配信することができる楽曲再生情報配信システム及び楽曲再生情報配信方法を提供することを目的とする。
【課題を解決するための手段】
【０００５】
本発明の楽曲再生情報配信システムは、オーディオ再生を行う再生手段、自装置の位置を測位する測位手段並びに前記再生手段で再生した楽曲情報及び前記測位手段で測位した位置情報を送信する通信制御手段を有する車載装置と、前記車載装置から送られた前記楽曲情報及び前記位置情報を管理する管理手段及び前記管理手段で管理した前記楽曲情報及び前記位置情報に基づく楽曲再生情報を前記車載装置に配信する配信手段を有する情報管理センタと、を具備することを特徴とする。
【０００６】
この構成によれば、車載装置が、再生した楽曲情報に位置情報を加えて情報管理センタに送信し、情報管理センタが、車載装置から送られた楽曲情報及び位置情報を管理するとともに、管理した楽曲情報及び位置情報に基づく楽曲再生情報（曲名、歌手名）を車載装置に配信する。したがって、特定の領域内で聞かれている楽曲の楽曲再生情報を配信するので、車載装置を所有するユーザは、例えば自分のいる場所の近くで聞かれている楽曲の楽曲再生情報を知ることができる。すなわち、情報管理センタには多くの車載装置から楽曲情報及び位置情報が送られてくるので、車載装置を所有するユーザは自己の位置を情報管理センタに知らせることで、自分のいる場所の近くで聞かれている楽曲を知ることができる。
【０００７】
本発明の楽曲再生情報配信システムにおいては、前記情報管理センタは、前記楽曲情報及び前記位置情報に基づいて特定の領域において再生された楽曲を集計する集計手段を有することが好ましい。この構成によれば、特定の領域において再生された楽曲を集計するので、車載装置を所有するユーザは、当該領域内において所望の楽曲を容易に検索することができる。
【０００８】
本発明の楽曲再生情報配信システムにおいては、前記車載装置は、配信された楽曲再生情報を表示する表示手段及び前記表示手段に触れることにより入力が可能な操作手段を有し、前記表示手段に表示された楽曲再生情報を前記操作手段で入力することにより、前記通信制御手段が前記楽曲再生情報に対応する楽曲をダウンロードすることが好ましい。この構成によれば、楽曲再生情報が表示されている表示手段の部分を触れることで、その楽曲再生情報に対応する楽曲をダウンロードするので、簡単な操作で楽曲を取得することができる。
【０００９】
本発明の楽曲再生情報配信方法は、車載装置において、オーディオ再生した楽曲情報及び自装置の位置情報を情報管理センタに送信する工程と、前記車載装置から送られた前記楽曲情報及び前記位置情報を管理する工程と、前記楽曲情報及び前記位置情報に基づく楽曲再生情報を前記車載装置に配信する工程と、を具備することを特徴とする。
【００１０】
この方法によれば、車載装置が、再生した楽曲情報に位置情報を加えて情報管理センタに送信し、情報管理センタが、車載装置から送られた楽曲情報及び位置情報を管理するとともに、管理した楽曲情報及び位置情報に基づく楽曲再生情報（曲名、歌手名）を車載装置に配信する。したがって、特定の領域内で聞かれている楽曲の楽曲再生情報を配信するので、車載装置を所有するユーザは、例えば自分のいる場所の近くで聞かれている楽曲の楽曲再生情報を知ることができる。すなわち、情報管理センタには多くの車載装置から楽曲情報及び位置情報が送られてくるので、車載装置を所有するユーザは自己の位置を情報管理センタに知らせることで、自分のいる場所の近くで聞かれている楽曲を知ることができる。
【００１１】
本発明の楽曲再生情報配信方法においては、前記情報管理センタにおいて、前記楽曲情報及び前記位置情報に基づいて特定の領域において再生された楽曲を集計する工程を具備することが好ましい。この方法によれば、特定の領域において再生された楽曲を集計するので、車載装置を所有するユーザは、当該領域内において所望の楽曲を容易に検索することができる。
【００１２】
本発明の楽曲再生情報配信方法においては、前記車載装置の表示手段に表示された楽曲再生情報を触れることにより、前記楽曲再生情報に対応する楽曲をダウンロードする工程を具備することが好ましい。この方法によれば、楽曲再生情報が表示されている表示手段の部分を触れることで、その楽曲再生情報に対応する楽曲をダウンロードするので、簡単な操作で楽曲を取得することができる。
【発明の効果】
【００１３】
本発明による楽曲再生情報配信システム及び楽曲再生情報配信方法は、特定の領域内で聞かれている楽曲の楽曲再生情報を配信するので、車載装置を所有するユーザは、例えば自分のいる場所の近くで聞かれている楽曲の楽曲再生情報を知ることができる。また、特定の領域において再生された楽曲を集計して配信するので、車載装置を所有するユーザは、所望の楽曲を容易に検索することができる。
【発明を実施するための最良の形態】
【００１４】
以下、本発明の実施の形態について、添付図面を参照して詳細に説明する。
図１は、本発明の一実施の形態に係る楽曲再生情報配信システムの概略構成を示すブロック図である。図１に示すシステムは、カーナビゲーションシステム（車載装置）１と、このカーナビゲーションシステム１と移動通信網２を介して接続される情報管理センタ３及び音楽配信センタ４と、情報管理センタ３と移動通信網２を介して接続される放送局５とから主に構成されている。なお、図１では３台のカーナビゲーションゲーション１を示しているが、この数に限定はない。また、図１では各カーナビゲーションゲーション１を区別するためにＡ〜Ｃのサフィックスを付けている。また、カーナビゲーションゲーション１Ａ〜１Ｃは基本的な機能は全て共通であるので、区別を必要とする場合以外は「カーナビゲーションゲーション１」として説明する。
【００１５】
カーナビゲーションシステム１は、ＧＰＳ（Global  Positioning  System）を搭載しており、このＧＰＳにより自装置の位置を測位することができる。また、カーナビゲーションシステム１は、ラジオ放送、ＣＤ（Compact  Disc）、ＭＤ（Mini  Disk）、テープ等のオーディオ再生を行う。また、カーナビゲーションシステム１は、移動通信網２を介して情報管理センタ３との間で通信を行い、オーディオ再生した楽曲情報（曲名、歌手名）に位置情報（緯度、経度、時間）を付加して情報管理センタ３に送信する。また、カーナビゲーションシステム１は、表示部に表示した楽曲再生情報をユーザが選択することで、その楽曲再生情報に対応する楽曲を音楽配信センタ４からダウンロードする。ここで、「楽曲情報」はカーナビゲーションシステム１から情報管理センタ３に送信された情報を言い、「楽曲再生情報」は情報管理センタ３からカーナビゲーションシステム１に配信された情報を言う。「楽曲情報」と「楽曲再生情報」は異なる情報とは限らず、同じ情報である場合もある。「楽曲再生情報」は、例えば「この近くで聞かれている楽曲」に対応する情報である。
【００１６】
移動通信網２は、カーナビゲーションシステム１と情報管理センタ３との間、カーナビゲーションシステム１と音楽配信センタ４との間、並びに情報管理センタ３と放送局５との間のネットワークである。この移動通信網２には、通常の移動通信網に加えて移動パケット通信網も含まれる。
【００１７】
情報管理センタ３では、カーナビゲーションシステム１から送られた楽曲情報及び位置情報を管理する。また、情報管理センタ３は、管理している楽曲情報及び位置情報に基づいて特定の領域において再生された楽曲に対応する楽曲再生情報をカーナビゲーションシステム１に配信する。また、情報管理センタ３は、特定の領域において再生された楽曲を集計して、必要に応じてランキング化し、カーナビゲーションシステム１に配信する。また、放送局５からランキングの要求があった場合にはその放送局５にもランキングを配信する。
【００１８】
音楽配信センタ４は、カーナビゲーションシステム１にて楽曲を購入する操作が行われた場合、購入希望の楽曲を配信する。放送局５は、情報管理センタ３からランキングの配信を受けることで、そのランキングを音楽番組に反映させる。
【００１９】
図２は、図１に示すカーナビゲーションシステム１の概略構成を示すブロック図である。なお、図２に示す構成は、本発明を説明するために簡略化したものであり、通常のカーナビゲーションシステムに搭載される構成要素は備えているものとする。
【００２０】
カーナビゲーションシステム１は、装置全体を制御する制御部１１と、移動通信網２を介して情報管理センタ３並びに音楽配信センタ４との間で通信を行う通信制御部１２と、情報管理センタ３から配信された楽曲再生情報や楽曲のランキングなどを表示する表示部１３と、表示部１３の画面上に配置され、カーナビゲーションシステム１を操作するための各種入力を行う操作部（所謂タッチパネル）１４と、ラジオ放送、ＣＤ、ＭＤ、テープ等のオーディオ再生を行う再生部１５と、自装置の位置情報を測位するＧＰＳ部１６と、装置に搭載され、あるいはダウンロードされた種々のアプリケーションを起動するアプリ制御部１７とから主に構成されている。
【００２１】
通信制御部１２は、オーディオ再生された楽曲情報を送信する操作が行われた場合、該楽曲情報に位置情報を付加して情報管理センタ３に送信する。この送信によって情報管理センタ３からカーナビゲーションシステム１に楽曲再生情報と楽曲のランキングが配信される。また、通信制御部１２は、楽曲再生情報と楽曲のランキングを表示部１３に表示させる。また、通信制御部１２は、表示部１３に楽曲再生情報と楽曲のランキングが表示されている状態で、操作部１４にて楽曲再生情報を選択する操作が行われると、音楽配信センタ４と通信を行って、選択された楽曲再生情報に対応する楽曲をダウンロードする。
【００２２】
アプリ制御部１７は、装置に搭載され、あるいはダウンロードされた楽曲再生情報配信アプリケーションを起動させる。このカーナビゲーションシステム１用の楽曲再生情報配信アプリケーションは、再生部１５でオーディオ再生された楽曲情報を送信する操作の有無を判定し、楽曲情報を送信する操作があると、該楽曲情報に位置情報を付加して情報管理センタ３に送信する。楽曲情報と位置情報を送信した後、楽曲再生情報と楽曲のランキングを受信できかどうかを判定し（即ち、情報管理センタ３から楽曲再生情報と楽曲のランキングが送られてきたかどうか判定し）、受信できた場合（送られてきた場合）は、それらを表示部１３に表示する。そして、楽曲再生情報を表示した表示部１３上の領域に対応する操作部１４の部分へのタッチの有無を判定し、当該部分へのタッチがあると、音楽配信センタ４にアクセスして楽曲再生情報に対応する楽曲をダウンロードするアプリケーションである。
【００２３】
図３は、図１に示す情報管理センタ３の概略構成を示すブロック図である。情報管理センタ３は、装置全体を制御する制御部３１と、移動通信網２を介してカーナビゲーションシステム１又は放送局５との間で通信を行う通信制御部３２と、カーナビゲーションシステム１から送られてきた楽曲情報及び位置情報を管理する管理部３３と、管理部３３が管理している楽曲情報及び位置情報に基づいて特定の領域において再生された楽曲を集計してランキングを作成する集計部３４とから主に構成されている。
【００２４】
通信制御部３２は、カーナビゲーションシステム１から送信された楽曲情報及び位置情報を受信し、また集計部３４で集計して得られた楽曲のランキングをカーナビゲーションシステム１に配信する。また、放送局５からランキング要求があった場合、放送局５にもランキングを配信する。管理部３３は、図４に示すように、カーナビゲーションシステム１から送信された楽曲情報及び位置情報を、「時刻」、「緯度」、「経度」、「曲名」及び「アーティスト」の各項目に分けて管理する。管理部３３は、この管理を全てのカーナビゲーションシステム１Ａ〜１Ｃに対して行う。
【００２５】
集計部３４は、図５に示すように、特定の領域（例えば「国道１号線」）において再生された楽曲を集計したランキングを作成する。アプリ制御部３５は、装置に搭載され、あるいはダウンロードされた楽曲再生情報配信アプリケーションを起動させる。この情報管理センタ３用の楽曲再生情報配信アプリケーションは、カーナビゲーションシステム１から楽曲情報及び位置情報が送信された場合、その楽曲情報及び位置情報を管理するとともに楽曲情報に対応する楽曲を集計してランキングを求め、それをカーナビゲーションシステム１に配信し、さらに放送局５からランキング要求があった場合にはその放送局５にもランキングを配信するアプリケーションである。
【００２６】
次に、本発明の実施の形態に係る楽曲再生情報配信方法について図６を用いて説明する。
まず、カーナビゲーションシステム１において、楽曲情報を送信する操作が行われると、情報管理センタ３との間で通信を開始し、楽曲情報にＧＰＳ部１６で測位した位置情報を付加して情報管理センタ３に送信する（ＳＴ１１）。
【００２７】
情報管理センタ３において、カーナビゲーションシステム１から送られた楽曲情報及び位置情報を受信すると、楽曲情報及び位置情報を管理する。そして、管理している楽曲情報及び位置情報に基づいて特定の領域において再生された楽曲の集計を行い、ランキングを作成する（ＳＴ１２）。この場合、カーナビゲーションシステム１の現在地を含む領域で再生されている楽曲のランキングを作成する。例えば、カーナビゲーションシステム１を搭載した車両が国道１号線を走行中であれば、国道１号線で再生されている楽曲のランキングを作成する。
【００２８】
楽曲の集計を行い、ランキングを作成した後、カーナビゲーションシステム１に対して、楽曲再生情報（曲名、歌手名）を配信し（ＳＴ１３）、さらにランキングを配信する（ＳＴ１４）。例えば、カーナビゲーションシステム１を搭載した車両が国道１号線を走行中であれば、国道１号線で聞かれている楽曲の楽曲再生情報と、国道１号線で再生されている楽曲のランキングをカーナビゲーションシステム１に配信する。なお、ランキングについては、必要に応じてカーナビゲーションシステム１に配信する。
【００２９】
カーナビゲーションシステム１において、情報管理センタ３から配信された楽曲再生情報と楽曲のランキングを受信すると、それらを表示部１３に表示する。表示部１３に楽曲再生情報と楽曲のランキングを表示した後、楽曲再生情報に対応する楽曲を購入する操作が行われると、音楽配信センタ４との間で通信を開始し、音楽配信センタ４に対して楽曲を要求する（ＳＴ１６）。
【００３０】
音楽配信センタ４において、カーナビゲーションシステム１から送信された楽曲要求を受信すると、多数の楽曲を管理しているデータベース（図示略）を検索し、該当する楽曲があると、それを取り出してカーナビゲーションシステム１に配信する（ＳＴ１７）。
【００３１】
一方、放送局５において、自局の放送領域内においてよく聞かれている楽曲のランキングを調査する場合、情報管理センタ３との間で通信を開始し、ランキングを要求する（ＳＴ１７）。
【００３２】
情報管理センタ３において、放送局５から送信されたランキング要求を受信すると、その放送局５の放送領域における楽曲のランキングを作成して配信する（ＳＴ１８）。放送局５は、情報管理センタ３から入手したランキングに基づいて楽曲を選択し放送する（ＳＴ１９）。放送局５に対する楽曲のランキング作成は、放送局５の放送領域の全域で作成することも可能であるが、全領域を細分化して各領域で作成することも可能である。領域を細分化することで、放送局５は各場所に見合ったローカル色の強い音楽番組を放送することができる。
【００３３】
このように、本実施の形態に係る楽曲再生情報配信システムでは、各カーナビゲーションシステム１Ａ〜１Ｃが、オーディオ再生した楽曲の楽曲情報に位置情報を加えて情報管理センタ３に送信し、情報管理センタ３が、各カーナビゲーションシステム１Ａ〜１Ｃから送られてきた楽曲情報及び位置情報を管理し、管理した楽曲情報及び位置情報に基づいて特定の領域において再生された楽曲の楽曲再生情報を、各カーナビゲーションシステム１Ａ〜１Ｃに配信するので、カーナビゲーションシステム１Ａ〜１Ｃの各ユーザは、自分のいる場所の近くで聞かれている楽曲の楽曲再生情報を知ることができる。
【００３４】
また、特定の領域において再生された楽曲の集計を行い、ランキングを生成して各カーナビゲーションシステム１Ａ〜１Ｃに配信するので、カーナビゲーションシステム１Ａ〜１Ｃの各ユーザは、所望の楽曲を容易に検索することができる。
【００３５】
また、放送局５からランキング要求があると、その放送局５の放送領域において再生された楽曲のランキングを生成して配信するので、放送局５は各場所に見合ったローカル色の強い音楽番組を放送することができる。
【００３６】
なお、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００３７】
本発明は、移動通信網を利用してカーナビゲーションシステムに楽曲を配信するシステムに適用可能である。
【図面の簡単な説明】
【００３８】
【図１】本発明の一実施の形態に係る楽曲再生情報配信システムの概略構成を示す図である。
【図２】図１に示すシステムにおけるカーナビゲーションシステムの概略構成を示すブロック図である。
【図３】図１に示すシステムにおける情報管理センタの概略構成を示すブロック図である。
【図４】図３に示す管理部で管理される情報の一例を示す図である。
【図５】図３に示す集計部で作成されるランキングの一例を示す図である
【図６】本発明の実施の形態に係る楽曲再生情報配信を説明するためのシーケンス図である。
【符号の説明】
【００３９】
１Ａ〜１Ｃ  カーナビゲーションシステム
２  移動通信網
３  情報管理センタ
４  音楽配信センタ
５  放送局
１１，３１  制御部
１２，３２  通信制御部
１３  表示部
１４  操作部
１５  再生部
１６  ＧＰＳ部
１７，３５  アプリ制御部
３３  管理部
３４  集計部
【図１】
2008201331.tif 000003
【図２】
2008201331.tif 000004
【図３】
2008201331.tif 000005
【図４】
2008201331.tif 000006
【図５】
2008201331.tif 000007
【図６】
2008201331.tif 000008